(57)【要約】【課題】ノートパソコンの操作性を向上させると共に、そのノートパソコンに接続されるマウスやテンキーボード等のコードの余分な部分を収納して、すっきりした環境でノートパソコンを使用することができるノートパソコン支持台を提供する。【解決手段】ノートパソコン（図示せず）を傾斜させて支持する支持部４と、前記ノートパソコンに接続されるコード６ｂなどを収納すると共に上面開口の収納部２を備えたもので、ノートパソコンの操作性が向上すると共に、マウスやテンキーボード等のオプション（図示せず）のコード６ｂの余分な部分を収納部２に収納できるので、ノートパソコンの使用時にコード６ｂの余分な部分が外部に露出せず、見栄えがよく、また、机上で、資料や書類を広げるスペースを十分確保することができる。【選択図】図２
2007115218.tif 000002
【特許請求の範囲】
【請求項１】
ノートパソコンを傾斜させて支持する支持部と、前記ノートパソコンに接続されるコードなどを収納すると共に上面開口の収納部を備えたノートパソコン支持台。
【請求項２】
収納部を覆う蓋体を有する請求項１に記載のノートパソコン支持台。
【請求項３】
蓋体と収納部の開口縁との間に隙間を設けた請求項２に記載のノートパソコン支持台。
【請求項４】
蓋を前下がり状に傾斜させた請求項２又は３に記載のノートパソコン支持台。
【請求項５】
支持部を少なくとも２個設けると共に、前記支持部を左右方向で摺動自在とした請求項１〜４のいずれか１項に記載のノートパソコン支持台。
【請求項６】
ノートパソコンの傾斜角度を任意に変えられるようにした請求項１〜５のいずれか１項に記載のノートパソコン支持台。
【発明の詳細な説明】
【技術分野】本発明は、机やテーブル上でノートパソコンを使用する時の操作性を向上させるためにノートパソコンを斜めに支持するノートパソコン支持台に関するものである。
【背景技術】  ノートパソコンのキーボード面は一般にフラットなため、操作性が悪く、机やテーブル上で長時間使用していると、腕が疲れたり肩が凝るなどの問題があった。この問題を解決するために、従来、前下がり状の載置面を有し、この載置面にノートパソコンを載せて使用するようにしたノートパソコン支持台がある（例えば、特許文献１参照）。また、ノートパソコンを乗せる板状の台部と、その台部の両側面後方に回動自在に設けられた脚部とを備え、その脚部の回動角度を変えることで、台部の傾斜角度すなわちノートパソコンの傾斜角度が変えられるようにしたノートパソコン支持台もあった（例えば、特許文献２参照）。
【特許文献１】特開２００２−２１５２７１号公報
【特許文献２】特開２００４−２３７０４７号公報
【発明の開示】
【発明が解決しようとする課題】  しかしながら、上記特許文献１に開示されたような従来のノートパソコン支持台の構成では、ノートパソコンにマウスやテンキーボード等のオプションを接続して使用する場合、マウスやテンキーボードのコードの余分な部分が露出し非常に見苦しく、また、そのコードにより、資料や書類を置くスペースが限られるなどの問題があった。また、特許文献２に開示されたような従来のノートパソコン支持台の場合は、ノートパソコンを載せる台部が板状なので、それを傾斜させることで、その台部と机の表面との間に三角状の空間ができるので、その部分に、マウスやテンキーボードのコードの余分な部分を押し込んで、見苦しくないようにすることはできるが、横からコードを押し込むため作業が非常にしづらく、また、ノートパソコンの重量が加わる台部の前端部や脚部でコードに傷が付くなどの課題があった。
本発明は、前記従来の課題を解決するもので、ノートパソコンの操作性を向上させると共に、そのノートパソコンに接続されるマウスやテンキーボード等のコードの余分な部分を収納して、すっきりした環境でノートパソコンを使用することができるノートパソコン支持台を提供する事を目的とする。
【課題を解決するための手段】  前記従来の課題を解決するために、本発明のノートパソコン支持台は、ノートパソコンを傾斜させて支持する支持部と、前記ノートパソコンに接続されるコードなどを収納すると共に上面開口の収納部を備えたもので、マウスやテンキーボード等のオプションのコードの余分な部分を収納部に収納できるので、ノートパソコンの使用時にコードの余分な部分が外部に露出せず、見栄えがよく、また、机上で、資料や書類を広げるスペースを十分確保することができる。
【発明の効果】  本発明のノートパソコン支持台は、ノートパソコンを傾斜させて支持することによりノートパソコンの操作性が向上すると共に、マウスやテンキーボード等のオプションのコードの余分な部分を収納部に収納できるので、ノートパソコンの使用時にコードの余分な部分が外部に露出せず、見栄えがよく、また、机上で、資料や書類を広げるスペースを十分確保することができる。
【発明を実施するための最良の形態】  第１の発明は、ノートパソコンを傾斜させて支持する支持部と、前記ノートパソコンに接続されるコードなどを収納すると共に上面開口の収納部を備えたもので、ノートパソコンの操作性が向上すると共に、マウスやテンキーボード等のオプションのコードの余分な部分を収納部に収納できるので、ノートパソコンの使用時にコードの余分な部分が外部に露出せず、見栄えがよく、また、机上で、資料や書類を広げるスペースを十分確保することができる。
第２の発明は、特に、第１の発明の収納部を覆う蓋体を有するもので、ノートパソコン使用後、マウスやテンキーボード等のオプションを収納部に収納し蓋体で覆うことにより、非常に見栄えがよく、整然と片付けることができる。
第３の発明は、特に、第２の発明の蓋体と収納部の開口縁との間に隙間を設けたもので、蓋体で収納部を覆った時に開口縁から引き出されたオプションのコードが蓋体で押しつぶされることがない。
第４の発明は、特に、第２又は第３の発明の蓋を前下がり状に傾斜させたもので、ノートパソコン内部で発生する熱によりノートパソコンの裏面が暖められ、それによりノートパソコンの裏面と蓋体との間の空気が温められるが、蓋体が前下がり状に傾斜しているので、空気が前部から後方に向かって効率よく流れ、ノートパソコン裏面の冷却を効率よく行うことができ、過熱によるシステムエラーを防止できる。
第５の発明は、特に、第１〜４のいずれか一つの発明の支持部を少なくとも２個設けると共に、前記支持部を左右方向で摺動自在としたもので、ノートパソコンの大きさに合わせて２つの支持部の間隔を調整して、安定してノートパソコンを支持することができる。
第６の発明は、特に、第１〜５のいずれか一つの発明のノートパソコンの傾斜角度を任意に変えられるようにしたもので、ノートパソコンを使用する机や、テーブルの高さが変わっても、常に使用者にもっとも適した傾斜角度で、ノートパソコンを傾斜させて使用することができる。
以下、本発明の実施の形態について、図面を参照しながら説明する。なお、この実施の形態によって本発明が限定されるものではない。
（実施の形態１）
図１は、本発明の第１の実施の形態におけるノートパソコン支持台の使用形態を示す斜視図、図２は、同ノートパソコン支持台の斜視図、図３は、同ノートパソコン支持台の支持部とその取り付け部の拡大断面図、図４は、同ノートパソコン支持台の使用形態を示す側面図である。
図１〜４において、本実施の形態におけるノートパソコン支持台１は、上面開口の収納部２を備えた基箱３と、基箱３の後壁３ａの上端に、左右方向に摺動自在で、ノートパソコン１０の後部裏面を支持する一対の支持部４から構成されている。６は、使用者が必要に応じてノートパソコン１０に接続するマウスやテンキーボード等のオプションで、そのコード６ｂは、ＵＳＢコネクタ６ａを介してノートパソコン１０の後部に設けたＵＳＢジャック（図示せず）に接続される。
支持部４は、弾性を有ししかも比較的摩擦抵抗の大きな材料、たとえば、ゴム、シリコンゴム等で形成され、図３に示すように基箱３の後壁３ａの上端に設けた溝３ｂに嵌合する突起４ａを備え、この突起４ａが溝３ｂに嵌合することで、支持部４が、溝３ｂに沿って摺動自在でしかも、支持部４が基箱３の後壁３ａから容易に外れないようになっている。
５は、収納部２内に一体又は一体的に設けられ、ノートパソコン１０にＵＳＢコネクタ６ａを介して接続されるマウスやテンキーボード等のオプション６のコード６ｂの余分な部分を、収納部２内に保持するための保持片である。基箱３の開口縁３ｃは、図２、４に示すように前下がり状に傾斜している。
上記のように構成されたノートパソコン支持台の使用方法は以下の通りである。
最初に、一対の支持部４を、使用するノートパソコン１０の大きさに合わせて、安定して支持できる程度の間隔になるように左右方向に移動させる。次に、マウスやテンキーボード等のオプション６を使用する場合、オプション６のコード６ｂの余分な部分を束ね、それを収納部２内に設けた保持片５内に収納し、ノートパソコン１０の後部裏面を支持部４に載せる。次にオプション６のＵＳＢコネクタ６ａをノートパソコン１０の後壁などに設けた所定のＵＳＢジャックに接続することによって、ノートパソコン１０が使用できるようになる。
以上のように、本実施の形態によれば、支持部４によりノートパソコン１０を傾斜させて支持できるので、操作性が向上する。さらに上面開口の収納部２が設けられているので、オプション６のコード６ｂの余分な部分を上方から容易に収納できると共に、保持片５でコード６ｂが保持されるので、ノートパソコン１０を支持部４に載せる前にコード６ｂが飛び出したりすることが無く非常に使用勝手が良く、しかもオプション６のコード６ｂの余分な部分が外部に露出しなので、見栄えもよく、机上で、資料や書類を広げるスペースを十分確保することができる。
また、支持部４は、左右方向に摺動自在なので、ノートパソコン１０の大きさに合わせて２つの支持部４の間隔を調整でき、安定してノートパソコン１０を傾斜させて支持することができる。
さらに、支持部４は、弾性を有ししかも比較的摩擦抵抗の大きな材料、たとえば、ゴムやシリコンゴム等で形成されているので、支持部４にノートパソコン１０を置く際に、ノートパソコン１０に傷がついたり衝撃が加わったりすることが無く、またノートパソコン１０の使用中に、それがずり落ちることもない。
（実施の形態２）
図５は、本発明の第２の実施の形態におけるノートパソコン支持台の斜視図、図６は、同ノートパソコン支持台の蓋体を開けた状態を示す斜視図、図７は、同ノートパソコン支持台の使用例を示す側面図、図８は、同ノートパソコン支持台の支持部とその取り付け部の拡大断面図である。
図５〜８において、本実施の形態におけるノートパソコン支持台１１は、上面開口の収納部１２を備えると共にその開口縁１３ａが前下がり状に傾斜した基箱１３と、前記収納部１２の上面を覆うと共に後端にノートパソコン１０の後部裏面を支持する一対の支持部１４を備えた蓋体１５から構成されている。支持部１４は、弾性を有ししかも比較的摩擦抵抗の大きな材料、たとえば、ゴムやシリコンゴム等で形成され、さらに、図８に示すように、蓋体１５の後端の左右方向に延設された溝１５ａに嵌合する突起１４ａを備え、この突起１４ａを溝１５ａに嵌合させることにより、支持部１４が蓋体１５から容易に外れないと共に、蓋体１５の左右方向で摺動自在となる。
基箱１３の開口縁１３ａの前部には、一対の軸支部１３ｂが設けられ、蓋体１５の前部には、前記軸支部１３ｂで回動自在に軸支される軸部１５ｂが設けられており、軸部１５ｂを軸支部１３ｂに嵌合させることにより、蓋体１５を自由に回動させることができる。なお、本実施の形態では、図５、６に示すように、蓋体１５で収納部１２を覆った時に、基箱１３の開口縁１３ａと蓋体１５の裏面との間にリブ１３ｄにより所定の隙間Ｇが確保されるようになっている。また、蓋体１５は、基箱１３の開口縁１３ａに沿うように前下がり状に傾斜している。
５は、収納部１２内に一体又は一体的に設けられ、ノートパソコン１０にＵＳＢコネクタ６ａを介して接続されるマウスやテンキーボード等のオプション６のコード６ｂの余分な部分を、収納部１２内に保持するための保持片である。
以上のように構成されたノートパソコン支持台１１の使用方法は、以下の通りである。
最初に、蓋体１５に設けた一対の支持部１４を、使用するノートパソコン１０の大きさに合わせて、安定して支持できる程度の間隔になるように移動させる。次に、マウスやテンキーボード等のオプション６を使用する場合、オプション６のコード６ｂの余分な部分を収納部１２内に設けた保持片５内に収納し、図５に示すように、オプション６側のコード６ｂ及びＵＳＢコネクタ６ａ側のそれぞれのコード６ｂを開口縁１３ａから引き出す。次にノートパソコン１０の後部裏面を支持部１４に載せ、オプション６のＵＳＢコネクタ６ａをノートパソコン１０の後壁などに設けたＵＳＢジャックに接続することによって、ノートパソコン１０が使用できるようになる。
以上のように、本実施の形態によれば、上面開口の収納部１２が設けられているので、オプション６のコード６ｂの余分な部分を上方から容易に収納できると共に、コード６ｂの余分な部分が外部に露出しなので、見栄えもよく、机上で、資料や書類を広げるスペースを十分確保することができる。
また、収納部１２を覆う蓋体１５を設けているので、ノートパソコン１０を使用した後、収納部１４にオプション６、ＵＳＢコネクタ６ａ、コード６ｂを収納し、蓋体１５で覆うことができるので、外観的に優れ、しかも使用後のオプション６を整然と片付けることができる。
また、支持部１４は、左右方向に摺動自在なので、ノートパソコン１０の大きさに合わせて２つの支持部１４の間隔を調整できるので、安定してノートパソコン１０を支持することができる。
ノートパソコン１０内部で発生する熱によりノートパソコン１０の裏面が暖められ、それによりノートパソコン１０の裏面と蓋体１５との間の空気が温められるが、本実施の形態では、蓋体１５を前下がり状に傾斜させているので、図７中の矢印で示すように、空気が前部から後方に向かって効率よく流れ、ノートパソコン１０の裏面の冷却を効率よく行うことができ、過熱によるシステムエラーを防止できる。
さらに、支持部１４は、弾性を有ししかも比較的摩擦抵抗の大きな材料、たとえば、ゴム、シリコンゴム等で形成されているので、支持部１４にノートパソコン１０を置く際に、ノートパソコン１０に傷がついたり衝撃が加わったりすることが無く、またノートパソコン１０の使用中に、それがずり落ちることもない。
さらに、蓋体１５と開口縁１３ａとの間に隙間Ｇを確保しているので、蓋体１５で収納部１２を覆った時に開口縁１３ａから引き出されたオプション６のコード６ｂが蓋体１５で押しつぶされることもない。
なお、特に図示しないが、蓋体１５に設けた支持部１４の下端を基箱１３の後壁１３ｃの上端に当接させるようにすれば、支持部１４にノートパソコン１０を載せたときに、蓋体１５そのものに加重が加わらないので、蓋体１５については、強度よりデザイン性を優先させることができる。
（実施の形態３）
図９は、本発明の第３の実施の形態におけるノートパソコン支持台の斜視図、図１０は、同ノートパソコン支持台の要部断面図である。尚上記第２の実施の形態におけるノートパソコン支持台と同一部分については同一符号を付してその説明を省略する。
本実施の形態は、ノートパソコン１０の後方裏面を支持する支持部を昇降自在にして、ノートパソコン１０の傾斜角度を自由に変えられるようにしたものである。
図９、１０において、本実施の形態におけるノートパソコン支持台１１の蓋体１５の裏面の後部両側にリブ片２２が一体的に垂下形成され、基箱１３の後壁１３ｃの前記リブ片２２に対向する位置には出没自在のつまみ２３が設けられている。つまみ２３の内側端部には突出部２３ａが設けられ、さらにつまみ２３を常時内方に付勢するバネ部材２４が設けられている。一方リブ片２２のつまみ２３側の側部には、突出部２３ａが嵌合する凹部２２ａが複数設けられている。
上記構成により、つまみ２３をバネ部材２４の付勢力に抗して引っ張りながら、例えば、蓋体１５の支持部１４側端部を、図１０の２点鎖線で示すように上方に持ち上げ任意の位置でつまみ２３から手を離すと、突出部２３ａが複数の凹部２２ａの内の一つに嵌合し、その位置で蓋体１５の回動が固定される。
以上のように、本実施の形態によれば、つまみ２３を操作することで、蓋体１５の回動範囲を変えて、支持部１４の高さを変えることができるので、ノートパソコン１０を使用する机や、テーブルの高さが変わっても、常に使用者にもっとも適した傾斜角度で、ノートパソコン１０を傾斜させることができる。
【産業上の利用可能性】  以上のように、本発明にかかるノートパソコン支持台は、ノートパソコンの操作性を向上させると共に、そのノートパソコンに接続されるマウスやテンキーボード等のコードの余分な部分を収納して、すっきりした環境でノートパソコンを使用することができるもので、ノートパソコンに広く適用できるものである。
【図面の簡単な説明】
【図１】本発明の第１の実施の形態におけるノートパソコン支持台の使用形態を示す斜視図
【図２】同ノートパソコン支持台の斜視図
【図３】同ノートパソコン支持台の支持部とその取り付け部の拡大断面図
【図４】同ノートパソコン支持台の使用形態を示す側面図
【図５】本発明の第２の実施の形態におけるノートパソコン支持台の斜視図
【図６】同ノートパソコン支持台の蓋を開けた状態を示す斜視図
【図７】同ノートパソコン支持台の使用形態を示す側面図
【図８】同ノートパソコン支持台の支持部とその取り付け部の拡大断面図
【図９】本発明の第３の実施の形態におけるノートパソコン支持台の斜視図
【図１０】同ノートパソコン支持台の要部断面図
【符号の説明】
１、１１、２１  ノートパソコン支持台
２、１２  収納部
３、１３  基箱
４、１４  支持部
５  保持片
６  オプション
１５  蓋体
【図１】
2007115218.tif 000003
【図２】
2007115218.tif 000004
【図３】
2007115218.tif 000005
【図４】
2007115218.tif 000006
【図５】
2007115218.tif 000007
【図６】
2007115218.tif 000008
【図７】
2007115218.tif 000009
【図８】
2007115218.tif 000010
【図９】
2007115218.tif 000011
【図１０】
2007115218.tif 000012